(57)【要約】  【課題】１つのページに１以上の画像がユーザーの好みのレイアウトで配置され、かつ、各画像の近傍には、その画像に対する文字情報が印刷された文字領域および手書きのメモを記入可能なメモ書き領域が設けられた印刷物を、簡単に作成できる画像形成システムおよび方法を提供する。  【解決手段】１以上の画像領域と、各画像領域の近傍に配置されたその画像に対応する文字情報を表示する文字領域およびメモ記入用のメモ書き領域とが設けられた複数のレイアウト候補から、指示入力に応じて１つのレイアウトを選択し、入力された画像データに対応する画像を、選択されたレイアウトに沿って配置することにより、上記課題を解決する。【選択図】図１
2007055077.tif 000002
【特許請求の範囲】
【請求項１】
画像データを入力する画像入力手段と、指示入力手段と、入力された前記画像データに対して編集を行って出力用画像データを作成する編集手段と、前記出力用画像データによって画像記録媒体上に出力画像を形成する画像出力手段とを備える画像形成システムであって、
前記編集手段は、
１以上の画像領域と、各画像領域の近傍に配置されたその画像に対応する文字情報を表示する文字領域およびメモ記入用のメモ書き領域とが設けられた複数のレイアウト候補を有し、前記指示入力手段からの指示入力に応じて前記複数のレイアウト候補から１つのレイアウトを選択するレイアウト選択手段と、
入力された前記画像データに対応する画像を、選択された前記レイアウトに沿って配置するレイアウト手段とを有することを特徴とする画像形成システム。
【請求項２】
前記編集手段は、前記画像記録媒体の前記画像領域、前記文字領域および前記メモ書き領域に、それぞれ異なる光沢度を設定する光沢度設定手段をさらに有し、
前記画像出力手段は、設定された前記光沢度に応じて前記画像記録媒体上の各領域の光沢度を制御する光沢度制御手段を有することを特徴とする請求項１に記載の画像形成システム。
【請求項３】
前記画像出力手段は、前記画像領域、前記文字領域および前記メモ書き領域が予め設定され、前記各領域がそれぞれ異なる光沢度を発現するように構成された画像記録媒体を、前記複数のレイアウト候補に対応する複数種備え、選択された前記レイアウトに対応する前記画像記録媒体を供給する供給手段を有し、供給された前記画像記録媒体に前記出力画像を形成することを特徴とする請求項１または２に記載の画像形成システム。
【請求項４】
前記画像領域は、前記文字領域よりも高い光沢度とされ、前記メモ書き領域は、前記文字領域よりも低い光沢度または光沢なしとされることを特徴とする請求項２または３に記載の画像形成システム。
【請求項５】
画像データを取得する取得工程と、
１以上の画像領域と、各画像領域の近傍に配置されたその画像データに対応する文字情報を表示する文字領域およびメモ記入用のメモ書き領域とが設けられた複数のレイアウト候補から１つのレイアウトを選択するレイアウト選択工程と、
取得した画像データに対応する画像を選択した前記レイアウトに沿って配置して、出力用画像データを作成するレイアウト工程と、
前記出力用画像データによって画像記録媒体上に出力画像を形成する画像形成工程とを有する画像形成方法。
【請求項６】
前記レイアウト工程の後に、前記画像記録媒体の前記画像領域、前記文字領域および前記メモ書き領域に、それぞれ異なる光沢度を設定する光沢度設定工程を有し、
前記画像形成工程と同時にまたはその前もしくは後に、設定された前記光沢度に応じて前記画像記録媒体上の各領域の光沢度を制御する光沢度制御工程を有する請求項５に記載の画像形成方法。
【請求項７】
前記光沢度設定工程は、前記画像領域を前記文字領域よりも高い光沢度に設定し、前記メモ書き領域を前記文字領域よりも低い光沢度または光沢なしに設定する請求項６に記載の画像形成方法。
【請求項８】
前記レイアウト選択工程で選択した前記レイアウトに対応する画像記録媒体を供給する供給工程をさらに有する請求項５〜７のいずれかに記載の画像形成方法。
【発明の詳細な説明】
【技術分野】
【０００１】
本発明は、入力画像データに基づいて画像記録媒体上に画像を形成する画像形成の技術分野に属する。
【背景技術】
【０００２】
デジタルカメラ等での撮影により得られた画像データや、フィルムに撮影された画像を光電的に読み取って得られた画像データをコンピュータ等によって編集して、１つのページに１つまたは複数の画像を配置した印刷物（ハードコピー）得て、写真アルバムのような冊子を作製するサービスが知られている。
この写真アルバム冊子のページには、写真の撮影日や予め指定されたコメント等の文字情報が印刷されることもある。このように写真画像と文字等が混在する印刷物においては、写真画像を高画質で表すために記録紙の表面（画像記録面）を高い光沢度とすると、文字が読みづらくなるという問題がある。
【０００３】
この問題に対し、特許文献１には、任意領域の画像の光沢を変化させることのできるカラー画像形成装置が開示されている。この画像形成装置は、画像情報の中からグラフィックスの領域と文章の領域を判定し、グラフィックスの領域では光沢度を高め、文章の領域では光沢度を低くするので、グラフィックスと文章が同一用紙上で混在する印刷物において、グラフィックスは美しく、文章は読み易く、両領域の画質を両立させることができるとされている。
【特許文献１】特開平７−１２９０３９号公報
【発明の開示】
【発明が解決しようとする課題】
【０００４】
しかし、上述の写真アルバム作製サービスは、多数の写真の中から選りすぐった少数の写真を用いて、サービス提供者が編集して本のように仕上げるものであり、従来の写真プリントを貼り付けるタイプのアルバムやポケットアルバムのような、撮影した写真のほとんどをユーザーが簡単に収納・保存するといった用途には適していない。
また、そのため、写真ごとに撮影日等の文字情報を記録する欄や手書きのメモ欄を設けることは行われていない。
【０００５】
また、特許文献１では、グラフィックスと文章とが混在する用紙１ページ分の画像情報があるときに、その画像情報から、領域ごとに光沢を変化させた画像を作成することは検討されている。しかし、入力された１つまたは複数の画像データから、１ページに１つまたは複数の画像が配列された印刷物を出力するためのデータを作成することについては検討されておらず、入力された画像（画像データ）を用紙の各ページに配列し、その画像ごとに文字情報を記録する欄や手書きのメモ欄を設けることについては検討されていない。
【０００６】
本発明の目的は、上記従来技術の問題点を解消し、１つのページに１つまたは複数の画像がユーザーの好みのレイアウトで配置され、かつ、各画像の近傍には、その画像に対する文字情報が印刷された文字領域および手書きのメモを記入可能なメモ書き領域が設けられた印刷物（ハードコピー）を、簡単に作成できる画像形成システムおよび方法を提供することにある。
【０００７】
本発明のさらなる目的は、上記印刷物において、画像領域、文字領域およびメモ領域のそれぞれに適切な光沢度を付与することを可能にし、それにより、画像の高画質と、文字の読み易さと、メモの書き易さとを一度に満たすことのできる画像形成システムおよび方法を提供することにある。
それぞれの領域に適切な光沢度とは、画像領域においては高光沢であり、文字領域においてはテカリの出ない程度の光沢であり、メモ書き領域では極めて低い光沢乃至無光沢である。
【課題を解決するための手段】
【０００８】
上記課題を解決するために、本発明は、画像データを入力する画像入力手段と、指示入力手段と、入力された前記画像データに対して編集を行って出力用画像データを作成する編集手段と、前記出力用画像データによって画像記録媒体上に出力画像を形成する画像出力手段とを備える画像形成システムであって、
前記編集手段は、
１以上の画像領域と、各画像領域の近傍に配置されたその画像に対応する文字情報を表示する文字領域およびメモ記入用のメモ書き領域とが設けられた複数のレイアウト候補を有し、前記指示入力手段からの指示入力に応じて前記複数のレイアウト候補から１つのレイアウトを選択するレイアウト選択手段と、
入力された前記画像データに対応する画像を、選択された前記レイアウトに沿って配置するレイアウト手段とを有することを特徴とする画像形成システムを提供する。
【０００９】
ここで、前記編集手段は、前記画像記録媒体の前記画像領域、前記文字領域および前記メモ書き領域に、それぞれ異なる光沢度を設定する光沢度設定手段をさらに有し、
前記画像出力手段は、設定された前記光沢度に応じて前記画像記録媒体上の各領域の光沢度を制御する光沢度制御手段を有するのが好ましい。
【００１０】
また、前記画像出力手段は、前記画像領域、前記文字領域および前記メモ書き領域が予め設定され、前記各領域がそれぞれ異なる光沢度を発現するように構成された画像記録媒体を、前記複数のレイアウト候補に対応する複数種備え、選択された前記レイアウトに対応する前記画像記録媒体を供給する供給手段を有し、供給された前記画像記録媒体に前記出力画像を形成するのが好ましい。
【００１１】
また、前記画像領域は、前記文字領域よりも高い光沢度とされ、前記メモ書き領域は、前記文字領域よりも低い光沢度または光沢なしとされるのが好ましい。
【００１２】
また、本発明は、画像データを取得する取得工程と、
１以上の画像領域と、各画像領域の近傍に配置されたその画像データに対応する文字情報を表示する文字領域およびメモ記入用のメモ書き領域とが設けられた複数のレイアウト候補から１つのレイアウトを選択するレイアウト選択工程と、
取得した画像データに対応する画像を選択した前記レイアウトに沿って配置して、出力用画像データを作成するレイアウト工程と、
前記出力用画像データによって画像記録媒体上に出力画像を形成する画像形成工程とを有する画像形成方法を提供する。
【００１３】
ここで、前記レイアウト工程の後に、前記画像記録媒体の前記画像領域、前記文字領域および前記メモ書き領域に、それぞれ異なる光沢度を設定する光沢度設定工程を有し、
前記画像形成工程と同時にまたはその前もしくは後に、設定された前記光沢度に応じて前記画像記録媒体上の各領域の光沢度を制御する光沢度制御工程を有するのが好ましい。
【００１４】
また、前記光沢度設定工程は、前記画像領域を前記文字領域よりも高い光沢度に設定し、前記メモ書き領域を前記文字領域よりも低い光沢度または光沢なしに設定するのが好ましい。
【００１５】
また、前記レイアウト選択工程で選択した前記レイアウトに対応する画像記録媒体を供給する供給工程をさらに有するのが好ましい。
【発明の効果】
【００１６】
本発明によれば、入力された画像データを、選択されたレイアウトに沿って自動的に配置するので、ユーザーの好みに合った写真アルバム同様の印刷物を簡単に得ることができる。また、各画像の近傍には、その撮影日時や撮影条件、コマ番号等の文字情報が記録されるので、写真の整理や画像データの整理が簡単になる。さらに、各画像の近傍にメモ書きのための空白領域が設けられるので、より楽しいアルバム作りが可能となる。
さらに、本発明の好ましい態様によれば、画像領域、文字領域およびメモ領域のそれぞれに適切な光沢度を付与することを可能にしたので、画像の高画質と、文字の読み易さと、メモの書き易さとを全て満足するアルバムを作製することができる。
【発明を実施するための最良の形態】
【００１７】
本発明に係る画像形成システムおよび方法を添付の図面に示す好適実施形態に基づいて以下に詳細に説明する。
【００１８】
図１は、本発明の画像形成方法を実施する本発明の画像形成システムの一実施形態を示すブロック図である。
図１に示す画像形成システム１０は、１つまたは複数の撮影画像データを取得し、取得した画像データを選択されたレイアウトに沿って自動的に配置して、写真アルバム同様の印刷物（以下、アルバムプリントと呼ぶ）を作成するものであり、画像入力装置１２と、指示入力機１４と、編集装置１６と、画像出力装置１８と、表示装置２０とを有している。
【００１９】
画像入力装置１２は、アルバム作成に供する画像データを取得し、編集装置１６へ入力するもので、デジタルカメラ等での撮影によって取得された画像データが記録された各種メディアから画像データを読み出すためのメディアドライバ、インターネット等の通信回線を通じて画像データを取得するためのネットワーク接続装置、および、デジタルカメラやカメラ付き携帯電話等のデジタル撮像機器と直接接続するための端子の１つ以上を有している。また、写真フィルムに撮影された画像を光電的に読み取って画像データを得るスキャナを有していてもよい。
【００２０】
指示入力機１４は、編集装置１６における編集に関する指示情報を編集装置１６へ入力するもので、キーボードやマウス等が含まれる。また、指示入力機１４は、後述する表示装置２０に備えられたタッチパネルであってもよい。
表示装置２０は、編集装置１６における編集に関する画面を表示する。
【００２１】
画像入力装置１２にメディアが挿入され、または通信回線が接続され、あるいはデジタル撮像機器が接続されて、データの読み込み開始が指示されると、画像入力装置１２は、メディアや接続先から画像データを読み出して編集装置１６へ送る。画像入力装置１２は、メディア等から読み出した画像データを全て編集装置１６へ送ってもよいし、画像入力装置１２において、編集装置１６へ送る画像データを選択できるようにしてもよい。
【００２２】
編集装置１６は、画像入力装置１２から入力された画像データに対して編集を行って、出力用画像データを作成するもので、レイアウト選択部２２、レイアウト部２４および光沢度設定部２６を有している。
また、編集装置１６は、図示はしないが、入力画像データについて、色／濃度補正、階調補正、彩度補正、シャープネス処理、覆い焼き処理（中間階調を維持した画像ダイナミックレンジの調整による覆い焼き効果の付与）等の画像処理を行う画像処理部を有しており、画像入力装置１２から入力された画像データに適宜画像処理を施す。
【００２３】
レイアウト選択部２２は、１枚の記録用紙（画像記録媒体）上に形成する画像のレイアウト候補を複数種類記憶しており、指示入力機１４からの指示入力に応じて、選択されたレイアウト候補をレイアウト部２４へ出力する。
編集装置１６は、レイアウト選択のために、レイアウト選択部２２が記憶する複数のレイアウト候補を表示装置２０に表示する。図２に、レイアウト選択画面の一例を示す。
【００２４】
図２に示すように、レイアウト選択画面３２には、「レイアウトを選択してください。」とのレイアウト選択を促すコメントとともに、レイアウト候補が表示される。図示例では、４つの画像コマ４０を配置したレイアウト候補３４と、６つの画像コマ４０を配置したレイアウト候補３６が表示されている。画面下のスクロールバーを指示入力機１４によって操作することにより、その他の数の画像コマ４０を配置したものや、同じ画像コマ数でも異なる配置としたもの、出力用紙のサイズの異なるものなど、レイアウト選択部２２が記憶する他のレイアウト候補を表示させることができる。
【００２５】
レイアウト候補（３４等）は、いずれも、１以上の画像コマ４０が配置されたものであり、各画像コマ４０は、（写真）画像領域４２と、画像領域４２の近傍に配置された文字領域４４およびメモ書き領域４６を有している。
画像領域４２は、画像入力装置１２から入力された画像データによって写真画像を再生する領域である。
文字領域４４は、画像領域４２に再生される画像に対応する文字情報を表示する領域である。この文字情報は、撮影日時や撮影条件といった撮影に関する情報や、ファイル番号やコマ番号といったカメラまたはフィルム等に関する情報などの、画像データの属性テキスト情報である。また、指示入力機１４の操作により、任意の文字情報を追加できるようにしてもよい。
メモ書き領域４６は、アルバムプリント作成後に、ユーザーが手書きのコメントを記入するための空白領域である。
なお、各レイアウト候補には、画像領域４２、文字領域４４およびメモ書き領域４６のほかの背景領域に、画像や文字が設定されていてもよい。
【００２６】
指示入力機１４の操作によって、１つのレイアウト候補が選択され、決定ボタン３８によって決定されると、レイアウト選択部２２は、選択されたレイアウトのフォーマットデータをレイアウト部２４へ送る。
【００２７】
なお、本実施形態では、複数のレイアウト候補を表示装置２０に表示してレイアウト選択を行っているが、他の形態として、指示入力機１４から出力画像における各画像のサイズが指定され、レイアウト選択部２２がその画像サイズとなるレイアウトを自動的に選択するようにしてもよいし、指示入力機１４から出力画像１ページあたりの画像枚数が指定され、レイアウト選択部２２が対応するレイアウトを自動的に選択するようにしてもよい。これらの場合には、画像形成システム１０を、表示装置２０を有さない構成とすることもできる。
【００２８】
レイアウト部２４は、画像入力装置１２から入力された画像データを、レイアウト選択部２２から送られたレイアウトに沿って、必要に応じて画像データの電子変倍処理等を行って配置し、出力画像データを生成する。
例えば、レイアウト選択部２２において、４つの画像コマ４０を配置したレイアウト候補３４が選択された場合には、図３に示すように、レイアウト候補３４のレイアウトに沿って、各画像コマ４０の画像領域４２には入力画像データによる画像が配置され、文字領域４４にはその画像の撮影情報等が文字表示され、メモ書き領域４６には空欄が確保されて、出力画像４８とされる。
【００２９】
入力画像データの配置順序は、編集装置１６に入力された順、撮影日時順、ファイル名順、指定番号順等に設定することができる。このような順序は、レイアウト部２４が画像（画像データ）を選択されたレイアウトに当てはめる前に、指示入力機１４からの指示入力によって選択できるようにしてもよい。
また、選択されたレイアウトに一旦画像を当てはめて出力画像４８を作成し、出力画像４８を表示装置２０に表示した後、指示入力機１４からの指示入力によって任意にその配置を変更できるようにしてもよい。このとき、さらに、アルバムプリントとして再生しない画像を削除できるようにしてもよい。
このように、画像の配置の変更や削除が指示された場合には、レイアウト部２４は、その指示に応じて再度画像データを配置して、再度出力画像４８を作成する。
【００３０】
また、文字領域４４に再生する文字情報についても、レイアウト部２４が文字情報を選択されたレイアウトに当てはめる前に、表示する情報を設定できるようにしてもよいし、出力画像４８が表示装置２０に表示された後、表示する情報を編集可能としてもよい。
【００３１】
編集装置１６は、作成した出力画像４８を表示装置２０に表示し、出力画像４８を確定する旨の指示が指示入力機１４から入力されると、出力画像４８のデータ（出力画像データ）を画像出力装置１８へ送る。
なお、レイアウト部２４で作成した出力画像を自動的に確定する形態とする場合には、編集装置１６は、作成して出力画像４８を表示装置２０に表示することなく、すぐに画像出力装置１８へ送るようにしてもよい。
【００３２】
画像形成システム１０は、好ましい態様として、光沢度設定部２６を有している。
光沢度設定部２６は、出力画像４８を形成する記録用紙の、画像領域４２、文字領域４４およびメモ書き領域４６のそれぞれに対応する領域に、その領域に適切な光沢度を設定する。
それぞれの領域に適切な光沢度とは、画像領域においては、画像を美しく表すための高光沢であり、文字領域においては、文字の読み易さのためのテカリの出ない程度（反射が強すぎない程度）の光沢であり、メモ書き領域においては、鉛筆やボールペンなどの通常の筆記具での書き易さのための極めて低い光沢乃至無光沢である。このように、画像領域４２、文字領域４４およびメモ書き領域４６の各領域において、好ましい光沢度は異なっている。
【００３３】
光沢度設定部２６は、画像領域４２、文字領域４４およびメモ書き領域４６の各領域に付与すべき光沢度の情報を予め有している。本実施形態においては、光沢度設定部２６は、画像領域４２には高光沢を付与し、文字領域４４には低光沢を付与し、メモ書き領域４６には光沢を付与しないとの情報を有している。
光沢度設定部２６は、レイアウト選択部２２からレイアウト部２４に送られたレイアウトのフォーマットに基づいて、記録用紙の画像形成面における画像領域４２、文字領域４４およびメモ書き領域４６を算出し、その各領域に所定の光沢度を設定する。そして、各領域の位置情報と設定された光沢度の情報とから光沢度データを作成し、画像出力装置１８に送る。
【００３４】
画像出力装置１８は、画像記録媒体である記録用紙に出力画像を形成し、さらに、その出力画像の領域ごとに異なる光沢度を付与して、アルバムプリントとして出力するもので、画像形成部２８および光沢度制御部３０を有している。
【００３５】
画像形成部２８は、編集装置１６のレイアウト部２４から送られた出力画像データによって記録用紙上に出力画像を形成する。この画像形成部２８には、電子写真方式、銀塩写真方式、インクジェット記録方式、サーマル記録方式等、デジタル画像データから画像形成を行う各種の方式のものが利用できる。
【００３６】
光沢度制御部３０は、編集装置１６の光沢度制御部２６から送られた光沢度データによって、出力画像に所定の光沢度を発現させる処理を行う。光沢度制御部３０としては、例えば、画像形成部２８によって形成された画像（可視像）の表面に透明樹脂を塗布することで表面性状を平滑にして光沢を増す方法や、表面性状を非平滑にするような素材を塗布して光沢を減らす方法や、溶剤の添加または熱定着条件の制御等により画像を形成する色材（トナーなど）を構成する樹脂の溶融性を向上させる方法等を用いることができ、各方法における制御パラメータ（透明樹脂の塗布量、溶剤の添加量、熱定着条件等）を制御することにより、光沢度を制御することができる。
【００３７】
光沢度制御部３０は、その形態に応じて、画像形成部２８による画像形成の前または後の記録用紙に作用するものであってもよいし、画像形成部２８による画像形成と同時に作用するものであってもよい。
【００３８】
このようにして作成されたアルバムプリントは、例えば図３に示す出力画像４８が記録用紙上に再生されたものである。すなわち、１ページ毎に、１つまたは複数の写真画像がユーザーの選択したレイアウトで配置され、各写真画像領域の近傍には、その写真画像に対する文字領域とメモ書き用の空白領域（メモ書き領域）とが設けられている。
【００３９】
このように、画像形成システム１０によれば、ユーザーは、デジカメ等で撮像した画像データを記録したメディア等または撮影後の写真フィルムを画像入力装置１２に供給し、画像のレイアウトを選択するだけで、ユーザーの好みに合ったアルバムプリントを簡単に得ることができる。
【００４０】
また、各画像の近傍には、その撮影日時や撮影条件、コマ番号等の画像に付随する文字情報が記録されるので、写真の整理や画像データの整理に役立てることができる。
さらに、各画像に対してその近傍にメモ書きのための空白領域が設けられるので、旅行やイベントを始め様々なスナップ写真のそれぞれにコメントを書き込むことができ、より楽しいアルバム作りが可能となる。
【００４１】
また、画像形成システム１０の好ましい態様では、画像領域は高光沢、文字領域はテカリの出ない程度の光沢（中〜低光沢）、メモ書き領域は低光沢乃至光沢なしに仕上げることができる。そのため、写真画像は美しく、文字は読み易く、メモ書き領域には通常の筆記具で簡単にコメントを記入できるためコメント記入の利便性がよい。
なお、各領域の光沢度は、上述の例には限定されず、ユーザーの好みに応じて変更可能としてもよい。また、画像領域は高光沢とし（光沢を付与し）、文字領域およびメモ書き領域は、文字領域の読み易さとメモ書き領域の書き易さとを両立する同一の光沢度とする、または光沢を付与しないなど、３つの領域に２種類以下の光沢度を付与するものとしてもよい。
【００４２】
次に、画像出力装置１８として、電子写真方式の画像形成部と、形成された画像（可視像）の上に透明トナー（熱可塑性樹脂）を付与して熱定着処理することにより光沢を付与する光沢度制御部とを備える画像出力装置１０８を有する画像形成システム１００について、図４に示す概略構成図を参照して説明する。
画像形成システム１００において、画像入力装置１２、指示入力機１４、編集装置１６および表示装置２０は、図１の画像形成システム１０におけるそれらと同様の構成を有するものである。
【００４３】
画像出力装置１０８は、図１の画像形成システム１０における画像出力装置１８に対応するもので、編集装置１６から送られた出力画像データに応じて、電子写真方式によって記録用紙（画像記録媒体）に画像を形成し、さらに、編集装置１６から送られた光沢度データに応じて、記録用紙の領域ごとに異なる光沢度となるように光沢度を制御する。
画像出力装置１０８は、基本的に、用紙供給部１１２、画像形成部１１４、光沢度制御部１１６および排出部１１８を備えている。また画像出力装置１０８は、その各部に記録用紙を所定経路で搬送する搬送手段や、各部の動作を制御する図示しない制御手段を備えている。
画像形成部１１４および光沢度制御部１１６は、それぞれ、図１の画像形成システム１０における画像出力装置１８の画像形成部２８および光沢度制御部３０に対応する。
【００４４】
用紙供給部１１２は、カットシート状の記録用紙Ａを画像形成部１１４に供給するものであり、長尺な記録用紙Ａを巻回してなる記録用紙ロールを収容するマガジン１２０の装填部を２箇所と、カットシート状の記録用紙Ａを収容するカセット１２４の装填部とを有している。
各マガジン１２０の装填部には、互いに異なる幅（異なるサイズ）の記録用紙ロール（それを収容するマガジン１２０）を装填することができる。
カセット１２４は、各種のプリンタに用いられるのと同様の、記録用紙Ａが収容されプリンタに装填されるケースである。
【００４５】
記録用紙Ａとしては、電子写真方式のプリンタで利用される各種の記録シート（受像媒体）が、特に制限なく利用できる。
本実施形態の画像形成システム１００は、後述する光沢度制御部１１６において、光沢度を増大させる処理を行うものなので、光沢度制御部１１６による光沢度付与処理を行わない場合に、アルバムプリントの最低光沢度、すなわちメモ書き領域の光沢度として適切な表面性状を有する記録用紙を用いればよい。言い換えれば、筆記適正のある記録用紙を用いればよい。
なお、光沢度制御部において、表面を粗面化して光沢度を低下させる処理が可能な場合には、記録用紙Ａとしてメモ書き領域の光沢度よりも高い光沢を有するものを用いることもできる。
【００４６】
マガジン１２０，１２０およびカセット１２４の各装填部には、ディップスイッチやバーコード等によってマガジン１２０等のＩＤを検出する検出器（図示せず）が配置されている。画像出力装置１０８の制御部（図示せず）は、この検出器によって各マガジン１２０およびカセット１２４等に収容された用紙の種類を検知し、作成するアルバムプリントのサイズに応じて、所定の用紙を収容するマガジン１２０，１２０またはカセット１２４（その用紙送り部）に用紙供給の信号を送る。
【００４７】
マガジン１２０，１２０の記録用紙Ａの供給口近傍には、引出しローラ対１２２およびカッタ１２８が配置されており、引出しローラ対１２２によって引き出された記録用紙Ａのカッタ１２８よりも下流の搬送方向長さが、作成するアルバムプリントに対応する所定長さとなった時点でカッタ１２８によって切断し、所定長さのカットシート状の記録用紙Ａとする。
また、カセット１２４の用紙供給口近傍には、カセット１２４から記録用紙Ａを１枚ずつ取り出して送り出すピックアップローラ（図示せず）が配置されている。
【００４８】
用紙供給部１１２から供給された記録用紙Ａは、搬送ローラ対や搬送ガイド等の通常の搬送手段によって画像形成部１１４へ搬送される。
【００４９】
記録用紙Ａの搬送方向において、用紙供給部１１２と画像形成部１１４との間には、記録用紙Ａの裏面（非画像形成面）に印字する印字機１２６が配置されている。また、各印字機１２６の印字部に対向する位置には、印字される記録用紙Ａを支持するガイド板１２７が設けられている。
印字機１２６は、記録用紙Ａの裏面に、必要に応じて印字（バックプリント）を施すものである。印字機１２６としては、特に限定はなく、インクリボンを用いるインパクトプリンタ、インクジェットプリンタ等、公知の印字手段が各種利用可能である。
【００５０】
画像形成部１１４は、編集装置１６から送られた出力画像データに応じて、用紙供給部１１２から供給された記録用紙Ａにカラーのトナー像（可視像）を形成するもので、露光ユニット１３０、トナー像形成部１３２、転写ユニット１３４および一次定着ローラ対１３６を備えている。
【００５１】
露光ユニット１３０は、後述するトナー像形成部１３２の電子写真感光体ドラム１４６を露光する光ビーム（記録光）の光源、光偏向器、ｆθレンズ、光路変更用のミラー、光ビーム調整用のレンズ等を有する、公知の光ビーム走査光学系である。
露光ユニット１３０は、編集装置１６から供給された出力画像データ（すなわち形成する画像）に応じて変調した光ビームを画像記録媒体（記録用紙Ａ）の幅方向（搬送方向に直交する方向）と一致する主走査方向に偏向して、所定の露光位置に入射して、感光体ドラム１４６に潜像を記録する。
【００５２】
トナー像形成部１３２は、電子写真方式によってトナー像を形成する部分であり、電子写真感光体ドラム１４６（以下、感光体ドラム１４６とする）、帯電ローラ１４８、クリーナ１５０およびトナー供給ユニット１５２を有する。
感光体ドラム１４６は、公知の電子写真感光体ドラムであって、中心軸が記録用紙Ａの幅方向と一致するように配置されており、図４中、矢印ａ方向（図中、右回り）に回転する。前述のように、露光ユニット１３０からの光ビームは幅方向に偏向されているので、感光体ドラム１４６は、記録画像に応じて変調された光ビームによって二次元的に走査露光される。
【００５３】
帯電ローラ１４８は、露光ユニット１３０による感光体ドラム１４６の露光に先立ち、感光体ドラム１４６の表面を一様に帯電するもので、例えば、コロトロン帯電器などの帯電手段が用いられる。
クリーナ１５０は、後述する転写ベルト１６０へのトナーの転写（一次転写）後に、感光体ドラム１４６の表面に残留するトナーを除去するもので、図示例の画像形成部１１４では、感光体ドラム１４６に接触して残留トナーを掻き採るブレードが用いられている。
【００５４】
トナー供給ユニット１５２は、感光体ドラム１４６にＣ（シアン）、Ｍ（マゼンタ）、Ｙ（イエロー）、Ｋ（黒）の各色のトナーを供給するもので、回転可能なドラム状の本体１５２ａに、Ｃトナー供給部１５４Ｃ、Ｍトナー供給部１５４Ｍ、Ｙトナー供給部１５４Ｙ、およびＫトナー供給部１５４Ｋの４つのトナー供給部が、回転角９０°の間隔で配置されている。トナー供給ユニット１５２は、本体１５２ａが、図４中、矢印ｂ方向（図中、反時計回り）に９０°ずつ回転することにより、上記各色のトナー供給部のいずれかが、感光体ドラム１４６に近接してトナーを供給する。
【００５５】
転写ユニット１３４は、感光体ドラム１４６に接するエンドレスベルトである転写ベルト１６０と、転写ベルト１６０を張架する３つのローラ１６２と、転写ベルト１６０の内側から転写ベルト１６０を感光体ドラム１４６に向けて押圧する押圧ローラ１６４と、転写ベルト１６０の外周側にローラ１６２の１つと対向して配置された転写ローラ１６６と、転写ローラ１６６と一次定着ローラ対１３６との間に配置された搬送ガイド１６８とを有している。
【００５６】
転写ベルト１６０は、トナー画像の中間転写体であり、矢印ｃ方向（記録シートＡの搬送方向と同方向）に回転する。この転写ベルト１６０は、周長が、画像出力装置１０８において作成するアルバムプリントの最大長さ（搬送方向長さ）よりも長いものとされており、転写ベルト１６０上に、アルバムプリント１ページ分の出力画像に対応するトナー画像が転写される。
また、転写ローラ１６６は、ローラ１６２の１つと共に転写ベルト１６０（記録用紙Ａ）を挟持する位置と、転写ベルト１６０と離間する位置とに移動可能とされている。
【００５７】
感光体ドラム１４６は、図中矢印ａ方向に回転しながら、帯電ローラ１４８によって幅方向に一様に帯電され、出力画像データに応じて変調された光ビームによって二次元的に走査露光されて、表面に静電潜像が形成される。次いで、静電潜像が、トナー供給ユニット１５２の感光体ドラム１４６に対面する位置（現像位置）に位置するトナー供給部、例えばＹトナー供給部１５４Ｙからのトナー供給によって現像され、感光体ドラム１４６の表面に、そのトナー供給部に対応する色、例えばイエローのトナー像が形成される。
【００５８】
転写ベルト１６０は、感光体ドラム１４６の回転と同期して図中矢印ｃ方向に回転し、感光体ドラム１４６に接する位置で押圧ローラ１６４によって感光体ドラム１４６へ向けて押圧される。これにより、感光体ドラム１４６の表面に現像されたトナー像が、転写ベルト１６０に転写される（一次転写）。感光体ドラム１４６の転写ベルト１６０へのトナー像の転写を終了した領域は、クリーナ１５０によって、残存するトナーが除去される。
【００５９】
図示例の画像出力装置１０８において、画像形成部１１４は、このような感光体ドラム１４６上へのトナー像の形成、および、形成されたトナー像の転写ベルト１６０への転写を、Ｃ、Ｍ、Ｙ、Ｋの各色について順次行う。図示例では、まずＹトナー像を転写ベルト１６０に転写し、次いで、トナー供給ユニット１５２（本体１５２ａ）を矢印ｂ方向に９０°回転して、Ｍトナー供給部１５２Ｍを現像位置に配し、転写ベルト１６０上のＹトナー像の位置に合わせて潜像の形成を開始し、感光体ドラム１４６の表面にＭトナー像を現像して、現像されたＭトナー像を転写ベルト１６０にＹトナー像に重ねて転写する。同様にして、Ｃトナー像を形成して転写ベルト１６０に転写し、Ｋトナー像を形成して転写ベルト１６０に転写する。この間、転写ローラ１６６は、転写ベルト１６０から離されている。
【００６０】
このようにして、転写ベルト１６０の表面には、編集装置１６からの出力画像データに応じて、画像領域には、Ｙ、Ｍ、Ｃ、Ｋの各トナー像が位置合わせされて形成され、すなわち４色の（フル）カラー画像が形成される。また、文字領域には、黒などの１色のトナー像または複数色を用いたトナー像（文字像）が形成され、メモ書き領域は、トナー像が形成されない。
【００６１】
一方、用紙供給部１１２からは、画像記録媒体として、所定サイズのカットシート状の記録用紙Ａが供給され、転写ローラ１６６の上流側直近に配置されたレジストローラ対１７０の位置で基準位置に合わせられて、待機状態とされている。
【００６２】
転写ベルト１６０に、４色のカラー画像および文字像を含む、アルバムプリント１ページ分の出力画像に対応する画像が形成されると、記録用紙Ａと転写ベルト１６０に形成されたカラー画像との位置が合うように、転写ベルト１６０の回転にタイミングを合わせて、記録用紙Ａの搬送が開始される。転写ローラ１６６は転写ベルト１６０（ローラ１６２）を押圧する位置に移動し、転写ベルト１６０（ローラ１６２）と転写ローラ１６６とで、記録用紙Ａを挟持搬送する。この挟持搬送により、転写ベルト１６０の表面に形成された４色のカラーのトナー像が記録用紙Ａに転写され、記録用紙Ａの表面に画像（出力画像）が形成される。
【００６３】
画像形成部１１４においてトナー像が形成された記録用紙Ａは、搬送ガイド１６８によってその非画像形成面が支持されて、未定着のトナー像が何にも接触しない状態を保って一次定着ローラ対１３６へ搬送される。
【００６４】
一次定着ローラ対１３６は、加熱ローラおよび加圧ローラからなる定着ローラ対である。加熱ローラは、記録用紙Ａの上に画像を形成するトナーを定着させるための所定の温度に昇温されている。記録用紙Ａは、加熱ローラおよび加圧ローラによって挟持搬送されることにより加熱および加圧されて、トナー像が定着される。ここでの定着処理は、記録用紙Ａに形成されたトナー像が固着して、剥がれない状態とするためのものである。
なお、一次定着ローラ対１３６において、加熱ローラは、記録用紙Ａのトナー像形成面およびその反対側の面のどちらに配置されていても良いし、一次定着ローラ対１３６の両方のローラが加熱ローラであってもよい。
【００６５】
一次定着ローラ対１３６によって一次定着処理が行われた記録用紙Ａは、続いて光沢度制御部１１６へ搬送される。
【００６６】
光沢度制御部１１６は、編集装置１６から供給された光沢度データに従って、記録用紙Ａに形成された画像上の所定の領域に熱可塑性樹脂を含む透明トナーを付着させた後、加熱加圧し、冷却することにより、光沢を付与するものである。
光沢度制御部１１６は、加熱冷却手段として、加熱ローラ１７４、加熱ローラ１７４の下流側に配置されたローラ１７６、加熱ローラ１７４およびローラ１７６によって張架され回転駆動される定着ベルト１７８、加熱ローラ１７４に対向して配置された加圧ローラ１８２、および、定着ベルト１７８の記録用紙Ａの搬送路側の内周面に設けられた冷却装置１８０を有している。
また、光沢度制御部１１６は、透明トナーの付与手段として、電子写真感光体ドラム１８６（以下、感光体ドラム１８６とする）、帯電ローラ１８８、露光ユニット１９０、透明トナー供給ユニット１９４、および、転写ローラ１９６を有している。
【００６７】
光沢度制御部１１６の加熱冷却手段は、記録用紙Ａに転写された透明トナー像を加熱した後冷却することで、所定の光沢を発現させるものである。
加熱ローラ１７４は、記録用紙Ａの画像形成面側に配置されている。加熱ローラ１７４は、内部に熱源を備えており、記録用紙Ａに付着した透明トナーを溶融する所定の温度に昇温されている。
加熱ローラ１７４の下流には、ローラ１７６が配置されており、加熱ローラ１７４およびローラ１７６によって、定着ベルト１７８を張架し搬送する。なお、定着ベルト１７８のテンションを調整するためのローラ１８４をさらに備えていていてもよい。
【００６８】
定着ベルト１７８は、その外周面すなわち記録用紙Ａに接触する面が、非常に高い平滑面とされている。定着ベルト１７８は、加熱ローラ１７４およびローラ１７６の回転によって回転して、その平滑なベルト面を記録用紙Ａの画像形成面に接触させた状態を保ちながら、加圧ローラ１８２との間で記録用紙Ａを挟持搬送する。
加圧ローラ１８２は、幅方向にほぼ均一な圧力で加熱ローラ１７４（定着ベルト１７８）を押圧する。
【００６９】
冷却装置１８０は、加熱ローラ１７４とその下流のローラ１７６との間に、記録用紙Ａの画像形成面を冷却するように配置されている。冷却装置１８０は、定着ベルト１７８の記録媒体搬送路側の内周面から定着ベルト１７８を冷却して、定着ベルト１７８に接触して搬送される加熱後の記録用紙Ａを冷却する。
冷却装置１８０の冷却手段としては、ヒートシンク等の放熱器や、不凍液等の冷却材を用いるものや、ペルチェ素子等を利用することができる。
【００７０】
後述する透明トナーの付与手段によって記録用紙Ａの画像上に付与された透明トナーは、定着ベルト１７８の表面平滑性の高いベルト面に接触した状態で、加熱ローラ１７４および加圧ローラ１８２によって加熱加圧されることで溶融し、次いで冷却されることで凝固する。凝固した透明トナーの表面は、定着ベルト１７８の平滑面が転写されて平滑となり、高光沢を発現する。これにより、記録用紙Ａの透明トナーを付与した領域に高い光沢を発現させることができる。
【００７１】
なお、記録用紙Ａが普通紙等である場合には、光沢度制御部１１６を通過しても、透明トナーが付与されていない領域の光沢度はほとんど変化しない。
また、記録用紙Ａが画像形成面に熱可塑性樹脂層を有する場合には、その層構成や光沢度制御部１１６における加熱・冷却条件に応じて、記録用紙Ａの全面で一様に光沢度がやや増加するが、トナーが付与されている領域では、さらに高い光沢度となる。
【００７２】
透明トナーの付与手段は、電子写真方式によって透明トナー像を形成するものである。
露光ユニット１９０は、編集装置１６から供給された光沢度データ、すなわち透明トナーによって形成する画像のデータに応じて変調した光ビームを画像記録媒体（記録用紙Ａ）の幅方向（搬送方向に直交する方向）と一致する主走査方向に偏向して、所定の露光位置に入射して、感光体ドラム１８６に潜像を記録する。
【００７３】
感光体ドラム１８６は、公知の電子写真感光体ドラムであり、中心軸が記録用紙Ａの幅方向と一致するように配置されている。感光体ドラム１８６は、記録用紙Ａの搬送路以外の所定位置で定着ベルト１７８に接しており、図４中矢印で示す方向（図中、右回り）に一定速度で回転する。感光体ドラム１８６の表面は、露光に先立って帯電ローラ１８８によって一様帯電され、次いで、露光ユニット１９０からの幅方向に偏向された光ビームによって、二次元的に走査露光される。これにより、感光体ドラム１８６の表面に潜像が形成される。
【００７４】
次いで、透明トナー供給ユニット１９４の位置で、感光体ドラム１８６の表面に透明トナーが供給され、透明トナー像が形成される。
この透明トナー像は、感光体ドラム１８６が定着ベルト１７８に接する位置で、定着ベルト１７８に転写される。感光体ドラム１８６と定着ベルト１７８との接触位置において、定着ベルト１７８の内周側（感光体ドラム１８６と反対側）には、定着ベルト１７８を感光体ドラム１８６へ向けて押圧する転写ローラ１９６が配置されている。これにより、
透明トナー像の定着ベルト１７８への転写が確実に行われる。
【００７５】
定着ベルト１７８上に形成された透明トナー像は、加熱ローラ１７４および加圧ローラ１８２による挟持位置において、画像形成部１１４から送られてくる記録用紙Ａが定着ベルト１７８に密着して挟持搬送されることにより、記録用紙Ａに形成された画像上の所定位置に転写される。
光沢度制御部１１６は、画像形成部１１４および画像形成部１１４と光沢度制御部１１６との間の記録用紙Ａの搬送手段に同期して動作し、記録用紙Ａに形成されたカラー画像の位置に合わせて、その上に透明トナー像を転写する。
【００７６】
透明トナー像の記録用紙Ａへの転写位置合わせは、例えば、感光体ドラム１８６および定着ベルト１７８を一定速度で移動させ、感光体ドラム１８６に潜像を書き込むタイミングを、画像形成部１１４での画像形成、ひいては画像形成部１１４からの記録用紙Ａの搬送に同期させることで行えばよい。
あるいは、定着ベルト１７８の搬送を間欠的に行う構成とし、感光体ドラム１８６に形成した透明トナー像を定着ベルト１７８に転写した後、定着ベルト１７８を一旦停止させて待機状態とし、記録用紙Ａが加熱ローラ１７４および加圧ローラ１８２による挟持位置に送り込まれるタイミングに合わせて、定着ベルト１７８の移動を開始することによって、転写位置合わせを行うこともできる。
【００７７】
上述したように、光沢度制御部１１６の透明トナー付与手段によって記録用紙Ａに転写された透明トナー像は、光沢度制御部１１６の加熱冷却手段による加熱・冷却処理によって所定の光沢を発現する。
【００７８】
冷却装置１８０によって冷却された記録用紙Ａは、定着ベルト１７８によってさらに搬送され、ローラ１７６の位置で定着ベルト１７８から剥離されて、さらに搬送され、排出ローラ対１９８によって排出部１１８へ排出される。
排出部１１８には、複数のトレイ２００とそのトレイ２００を循環させる循環機構２０２を有しており、排出ローラ対１９８によって排出された記録用紙Ａ（アルバムプリント）は、トレイ２００の上に例えば注文ごとに集積される。
【００７９】
なお、上述の例では、光沢度制御部３０として、透明トナー付与手段を有する光沢度制御部１１６を設けた。しかし、本発明はこれには限定されず、光沢度制御部３０（光沢度制御手段）として他の手段を用いることもできる。
例えば、画像形成部１１４において、カラーのトナー像形成の際に、透明トナー像を重ねて形成し、一次定着ローラ対１３６による加熱処理、さらには、光沢度制御部１１６の加熱冷却手段による二次定着処理（上述の加熱・冷却処理）を行うことにより、透明トナー像を形成した領域に高い光沢を発現させるようにすることもできる。
そのほかにも、一次定着ローラ対１３６の前または光沢度制御部１１６の前に、カラートナーの樹脂を溶融し易くさせる溶媒や、光沢を増加させるための溶液（樹脂溶液等）などを塗布する手段を設けてもよい。
【００８０】
上記各種の光沢度制御手段の形態において、光沢の程度の制御は、塗布する透明トナー等の量を制御すること、一次定着ローラ対１３６または加熱ローラ１７４による熱処理温度を制御すること等により行うことができる。
【００８１】
また、上述の例では、光沢度制御部３０によって光沢を増加させる形態について説明したが、反対に、光沢を低下させることにより、光沢度を制御してもよい。
【００８２】
次に、本発明の画像形成システムおよび画像形成方法の他の実施形態について、図５のブロック図を参照して説明する。
図５に示す画像形成システム５０は、図１の画像形成システム１０と同様に、１つまたは複数の撮影画像データを取得し、取得した画像データを選択されたレイアウトに沿って自動的に配置して、アルバムプリントを作成するものであり、画像入力装置５２と、指示入力機５４と、編集装置５６と、画像出力装置５８と、表示装置６０とを有している。
画像入力装置５２、指示入力機５４および表示装置６０は、それぞれ、上述の画像形成システム１０（図１参照）の画像入力装置１２、指示入力機１４および表示装置２０と同様のものである。
【００８３】
画像形成システム５０が上述の画像形成システム１０と構成上異なる点は、編集装置５６が光沢度設定部を有さない点、および、画像出力装置５８が図１の光沢度制御部３０に代えて記録用紙供給部６６を有している点である。レイアウト選択部６２が記憶するレイアウト候補の形態やレイアウトの選択方法、レイアウト部６４における入力画像データおよび文字情報の配置や、出力画像データの作成等の処理方法は、上述の例と同様である。
【００８４】
この画像形成システム５０においては、編集装置５６は、レイアウト選択部６２でレイアウトが選択されると、選択されたレイアウトの識別情報を画像出力装置５８に送る。
画像出力装置５８の記録用紙供給部６６は、編集装置５６のレイアウト選択部６２に記憶されているレイアウト候補に対応する複数種類の記録用紙を備えており、編集装置５６（レイアウト選択部６２）から送られたレイアウトの識別情報に応じて、対応する記録用紙を画像形成部６８に供給する。
【００８５】
また、編集装置５６は、レイアウト部６４で作成した出力画像データを画像出力装置５８へ送る。画像出力装置５８の画像形成部６８は、受け取った出力画像データによって、記録用紙供給部６６から供給された記録用紙上に出力画像を形成する。
【００８６】
ここで、レイアウトに対応する記録用紙とは、そのレイアウトに対応して記録用紙上に所定の領域が設定されたものであり、そのレイアウトの画像領域に対応する領域には、画像形成後に高光沢を発現する処理が為され、文字領域に対応する領域には、中〜低光沢を発現する処理が為され、メモ書き領域に対応する領域には、低光沢を発現するか光沢を発現しないように処理されている記録用紙である。
【００８７】
光沢を発現させるための処理としては、例えば、画像出力装置５８が画像形成部６８において形成した画像を定着するための加熱定着手段、または光沢処理のための加熱処理手段を有する形態とした場合に、記録用紙の画像形成面に、熱可塑性樹脂のコーティングを施すことが挙げられる。
このような用紙を用いた場合には、記録用紙に熱可塑性樹脂コーティングが施されている領域では、画像形成後に加熱処理されることにより、画像を形成するトナーがコーティング層（熱可塑性樹脂層）中に溶融し、その後冷却（自然冷却または冷却手段による冷却）がなされることによって、凝固、固着する。それにより、熱可塑性樹脂コーティングが施された領域に、銀塩写真プリントのように高い光沢度光沢を発現させることができる。
【００８８】
また、この場合、光沢の程度の制御は、記録用紙作製の際に、コーティング材料またはコーティング層厚さ等の層構成を制御することにより、行うことができる。
【００８９】
本実施形態では、レイアウトに応じて記録用紙の種類を選択することで、同一の画像形成プロセスでも、領域ごとに光沢度を変えることができる。
すなわち、例えば、画像出力装置５８としては、図４に示した画像出力装置１０８のうち、用紙供給部１１２には、マガジン１２０，１２０およびカセット１２４を、レイアウト候補の数に対応する数だけ設け、それぞれ異なる種類の記録用紙Ａを用意する。そして、編集装置５６からのレイアウト識別情報に応じて、対応する記録用紙Ａを収容するマガジン１２０またはカセット１２４から、記録用紙Ａを供給させればよい。
【００９０】
用紙供給部１１２から供給された記録用紙Ａは、画像形成部１１４において画像が形成された後一次定着され、次いで、光沢度制御部１１６の加熱・冷却手段によって二次定着（加熱・冷却処理）されることにより、記録用紙Ａの画像領域は高光沢を発現し、文字領域は画像領域よりも低い光沢を発現し、メモ書き領域は光沢を有さないアルバムプリントを得ることができる。
なお、本実施形態においては、光沢度制御部１１６の透明トナー付与手段は設けなくともよい。
【００９１】
なお、上記の種々の実施形態において、記録用紙Ａとしてコート紙と、透明トナー等の光沢付与剤の両方を用いることにより、光沢度を増加させるようにしてもよい。
【００９２】
以上に説明したように、本発明の画像形成システムおよび方法によれば、写真画像領域は高光沢を有し、文字情報が記録された領域は読み易い程度の光沢を有し、メモ書き領域は光沢を有さないアルバムプリントを作成できるので、写真画像の高画質と、文字の読み易さと、メモの書き易さとを全て満足するアルバムを得ることができる。
【００９３】
また、本発明は、アルバムプリント以外にも、撮影画像を利用したポストカードや、商品の写真を掲載した注文票を兼ねるカタログ、学習テーマに応じた写真を用いたテストや学習帳などの学習教材、写真プリントサービスにおけるインデックスプリントを利用した注文票など、各種の用途に利用することができる。
いずれの場合も、写真領域と、文字領域と、手書きのメモ領域とを設定したテンプレートを用意しておき、選択されたテンプレートに応じて、各領域に対する適切な光沢度を設定することで、写真画像の高画質と、文字の読み易さと、メモ（手書き文字）の書き易さとを全て満足する製品を得ることができる。
【００９４】
以上、本発明に係る画像形成システムおよび方法について詳細に説明したが、本発明は上記種々の実施例に限定されず、本発明の主旨を逸脱しない範囲において、種々の改良や変更をしてもよいのはもちろんである。
【図面の簡単な説明】
【００９５】
【図１】本発明の画像形成システムの一実施形態を示すブロック図である。
【図２】レイアウト選択画面の一例を示す図である。
【図３】出力画像の一例を示す図である。
【図４】図１の画像形成システムの具体例を示す構成概念図である。
【図５】本発明の画像形成システムの他の実施形態を示すブロック図である。
【符号の説明】
【００９６】
１０、５０、１００  画像形成システム
１２、５２  画像入力装置
１４、５４  指示入力機
１６、５６  編集装置
１８、５８、１０８  画像出力装置
２０、６０  表示装置
２２、６２  レイアウト選択部
２４、６４  レイアウト部
２６  光沢度設定部
２８、６８  画像形成部
３０  光沢度制御部
３２  レイアウト選択画面
３４、３６  レイアウト候補
３８  決定ボタン
４０  画像コマ
４２  （写真）画像領域
４４  文字領域
４６  メモ書き領域
４８  出力画像
６６  記録用紙供給部
【図１】
2007055077.tif 000003
【図２】
2007055077.tif 000004
【図３】
2007055077.tif 000005
【図４】
2007055077.tif 000006
【図５】
2007055077.tif 000007